【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
マイクロ波アブレーションカテーテルアセンブリであって、前記マイクロ波アブレーションカテーテルアセンブリは、
アブレーションカテーテルであって、前記アブレーションカテーテルは、
近位部分および遠位部分を有する同軸ケーブルであって、前記近位部分は、マイクロ波エネルギー源に動作可能に接続されることが可能であり、前記同軸ケーブルは、内側導体および外側導体を含む、同軸ケーブルと、
前記同軸ケーブルの遠位部分に配置されている放射体と
を含む、アブレーションカテーテルと、
前記放射体を標的組織に隣接して位置付けるために前記アブレーションカテーテルを受け取るように構成されている延長式作業チャネルと
を備え、
前記延長式作業チャネルは、電気伝導性内側表面を含み、前記マイクロ波アブレーションカテーテルアセンブリへのマイクロ波エネルギーの印加時、前記同軸ケーブルの前記外側導体に沿って伝導されるエネルギーは、前記延長式作業チャネルの伝導性内側表面内に捕捉され、前記延長式作業チャネルに隣接する組織に影響を及ぼすことを防止される、
マイクロ波アブレーションカテーテルアセンブリ。
【請求項２】
前記アブレーションカテーテルおよび延長式作業チャネルは、場所感知システムを使用して、患者内に設置される、請求項１に記載のマイクロ波アブレーションカテーテルアセンブリ。
【請求項３】
前記延長式作業チャネルは、その近位端にスロットを含み、前記スロットは、前記アブレーションカテーテル上に位置付けられている対応する機械的界面と解放可能に係合するように構成されている、請求項１に記載のマイクロ波アブレーションカテーテルアセンブリ。
【請求項４】
前記機械的界面は、前記同軸ケーブルの遠位放射区分を係止するために、前記スロット内に画定された複数の位置のうちの少なくとも１つの中に前記スロットとともに移動可能である、請求項３に記載のマイクロ波アブレーションカテーテルアセンブリ。
【請求項５】
印が、前記スロットに沿って提供されている、請求項４に記載のマイクロ波アブレーションカテーテルアセンブリ。
【請求項６】
前記印は、４分の１波長増分を表す、請求項５に記載のマイクロ波アブレーションカテーテルアセンブリ。
【請求項７】
前記延長式作業チャネルは、前記電気伝導性内側表面を前記延長式作業チャネルに隣接する組織から分離する絶縁体をさらに備えている、請求項１に記載のマイクロ波アブレーションカテーテルアセンブリ。
【請求項８】
前記同軸ケーブルの前記内側導体は、前記同軸ケーブルの前記外側導体を越えて遠位に延び、遠位放射区分と密閉係合する、請求項１に記載のマイクロ波アブレーションカテーテルアセンブリ。
【請求項９】
前記アブレーションカテーテルは、冷却媒体のための経路を提供するために、前記同軸ケーブルおよび放射体を包囲する１つ以上の冷却カテーテルをさらに含む、請求項１に記載のマイクロ波アブレーションカテーテルアセンブリ。
【請求項１０】
前記冷却媒体は、液体または気体である、請求項９に記載のマイクロ波アブレーションカテーテルアセンブリ。
【請求項１１】
前記延長式作業チャネルは、冷却媒体が前記延長式作業チャネル内で循環するための閉鎖経路を提供する、請求項１に記載のマイクロ波アブレーションカテーテルアセンブリ。
【請求項１２】
前記延長式作業チャネルは、冷却媒体が前記延長式作業チャネルを通過するための開放経路を提供する、請求項１に記載のマイクロ波アブレーションカテーテルアセンブリ。
【請求項１３】
標的組織を電気外科手術的に治療するためのシステムであって、前記システムは、
標的組織に隣接して位置付けられるように構成されている延長式作業チャネルであって、前記延長式作業チャネルは、電気伝導性内側表面を有する、延長式作業チャネルと、
アブレーションカテーテルであって、前記アブレーションカテーテルは、前記アブレーションカテーテルの放射体が前記延長式作業チャネルの遠位端を越えて延びるように、前記延長式作業チャネルを通して挿入されるように構成されており、前記アブレーションカテーテルは、外側導体を有する、アブレーションカテーテルと
を備え、
エネルギーは、電気外科手術エネルギーが前記放射体から放射するように、前記アブレーションカテーテルに印加され、
前記アブレーションカテーテルへのエネルギーの印加時、前記アブレーションカテーテルの外側導体に沿って伝導される任意のエネルギーは、前記延長式作業チャネルの前記電気伝導性内側表面内に捕捉され、前記延長式作業チャネルに隣接する組織に影響を及ぼすことを防止される、システム。
【請求項１４】
前記アブレーションカテーテルの機械的界面は、前記延長式作業チャネル上に提供されているスロットに沿って画定された少なくとも１つの機械的界面と係合され、前記アブレーションカテーテルの前記放射体を前記延長式作業チャネルの前記遠位端の遠位の位置に係止するように構成されている、請求項１３に記載のシステム。
【請求項１５】
前記延長式作業チャネルの前記電気伝導性内側表面は、編組構成を含む、請求項１３に記載のシステム。
【請求項１６】
スロットが、前記延長式作業チャネルの近位端に提供され、前記スロットは、前記アブレーションカテーテル上に位置付けられている機械的界面に解放可能に結合するように構成されている、請求項１４に記載のシステム。
【請求項１７】
印が、前記スロットに沿って提供されている、請求項１４に記載のシステム。
【請求項１８】
前記印は、４分の１波長増分を表す、請求項１７に記載のシステム。
【請求項１９】
前記アブレーションカテーテルの前記機械的界面は、遠位に移動され、前記アブレーションカテーテルを前記スロット内の少なくとも１つの他の位置の中に係止し、前記アブレーションカテーテルの内側導体と外側導体との間の信号平衡を調節するように構成されている、請求項１８に記載のシステム。
【請求項２０】
マイクロ波アブレーションシステムであって、前記マイクロ波アブレーションシステムは、
マイクロ波エネルギー源と、
アブレーションカテーテルであって、前記アブレーションカテーテルは、
近位部分および遠位部分を有する同軸ケーブルであって、前記近位部分は、前記マイクロ波エネルギー源に動作可能に接続され、前記同軸ケーブルは、内側導体および外側導体を含む、同軸ケーブルと、
前記同軸ケーブルの遠位部分に配置されている放射体と
を含む、アブレーションカテーテルと、
前記放射体を標的組織に隣接して位置付けるために、前記アブレーションカテーテルを受け取るように構成されている延長式作業チャネルと
を備え、
前記延長式作業チャネルは、電気伝導性内側表面を含み、前記アブレーションカテーテルへのマイクロ波エネルギーの印加時、前記同軸ケーブルの前記外側導体に沿って伝導されるエネルギーは、前記延長式作業チャネルの前記伝導性内側表面内に捕捉され、前記延長式作業チャネルに隣接する組織に影響を及ぼすことを防止される、
マイクロ波アブレーションシステム。
【手続補正２】
【補正対象書類名】明細書
【補正対象項目名】００１７
【補正方法】変更
【補正の内容】
【００１７】
本開示の側面は、マイクロ波アブレーションシステムを提供する。マイクロ波アブレーションシステムは、マイクロ波エネルギー源と、アブレーションカテーテルと、延長式作業チャネルとを備えている。アブレーションカテーテルは、近位部分および遠位部分を有する同軸ケーブルと、同軸ケーブルの遠位部分に配置されている放射体とを含む。同軸ケーブルは、内側導体と、外側導体とを含み、同軸ケーブルの近位部分は、マイクロ波エネルギー源に動作可能に接続される。延長式作業チャネルは、放射体を標的組織に隣接して位置付けるために、アブレーションカテーテルを受け取るように構成される。延長式作業チャネルは、電気伝導性内側表面を含み、アブレーションカテーテルへのマイクロ波エネルギーの印加時、同軸ケーブルの外側導体に沿って伝導されるエネルギーは、延長式作業チャネルの伝導性内側表面内に捕捉され、延長式作業チャネルに隣接する組織に影響を及ぼすことを防止される。
本願明細書は、例えば、以下の項目も提供する。
（項目１）
マイクロ波アブレーションカテーテルアセンブリであって、前記マイクロ波アブレーションカテーテルアセンブリは、
アブレーションカテーテルであって、前記アブレーションカテーテルは、
近位部分および遠位部分を有する同軸ケーブルであって、前記近位部分は、マイクロ波エネルギー源に動作可能に接続されることが可能であり、前記同軸ケーブルは、内側導体および外側導体を含む、同軸ケーブルと、
前記同軸ケーブルの遠位部分に配置されている放射体と
を含む、アブレーションカテーテルと、
前記放射体を標的組織に隣接して位置付けるために前記アブレーションカテーテルを受け取るように構成されている延長式作業チャネルと
を備え、
前記延長式作業チャネルは、電気伝導性内側表面を含み、前記マイクロ波アブレーションカテーテルアセンブリへのマイクロ波エネルギーの印加時、前記同軸ケーブルの前記外側導体に沿って伝導されるエネルギーは、前記延長式作業チャネルの伝導性内側表面内に捕捉され、前記延長式作業チャネルに隣接する組織に影響を及ぼすことを防止される、
マイクロ波アブレーションカテーテルアセンブリ。
（項目２）
前記アブレーションカテーテルおよび延長式作業チャネルは、場所感知システムを使用して、患者内に設置される、項目１に記載のマイクロ波アブレーションカテーテルアセンブリ。
（項目３）
前記延長式作業チャネルは、その近位端にスロットを含み、前記スロットは、前記アブレーションカテーテル上に位置付けられている対応する機械的界面と解放可能に係合するように構成されている、項目１に記載のマイクロ波アブレーションカテーテルアセンブリ。
（項目４）
前記機械的界面は、前記同軸ケーブルの遠位放射区分を係止するために、前記スロット内に画定された複数の位置のうちの少なくとも１つの中に前記スロットとともに移動可能である、項目３に記載のマイクロ波アブレーションカテーテルアセンブリ。
（項目５）
印が、前記スロットに沿って提供されている、項目４に記載のマイクロ波アブレーションカテーテルアセンブリ。
（項目６）
前記印は、４分の１波長増分を表す、項目５に記載のマイクロ波アブレーションカテーテルアセンブリ。
（項目７）
前記延長式作業チャネルは、前記電気伝導性内側表面を前記延長式作業チャネルに隣接する組織から分離する絶縁体をさらに備えている、項目１に記載のマイクロ波アブレーションカテーテルアセンブリ。
（項目８）
前記同軸ケーブルの前記内側導体は、前記同軸ケーブルの前記外側導体を越えて遠位に延び、前記遠位放射区分と密閉係合する、項目１に記載のマイクロ波アブレーションカテーテルアセンブリ。
（項目９）
前記アブレーションカテーテルは、冷却媒体のための経路を提供するために、前記同軸ケーブルおよび放射体を包囲する１つ以上の冷却カテーテルをさらに含む、項目１に記載のマイクロ波アブレーションカテーテルアセンブリ。
（項目１０）
前記冷却媒体は、液体または気体である、項目９に記載のマイクロ波アブレーションカテーテルアセンブリ。
（項目１１）
前記延長式作業チャネルは、冷却媒体が前記延長式作業チャネル内で循環するための閉鎖経路を提供する、項目１に記載のマイクロ波アブレーションカテーテルアセンブリ。
（項目１２）
前記延長式作業チャネルは、冷却媒体が前記延長式作業チャネルを通過するための開放経路を提供する、項目１に記載のマイクロ波アブレーションカテーテルアセンブリ。
（項目１３）
標的組織を電気外科手術的に治療する方法であって、
延長式作業チャネルを標的組織に隣接して位置付けることであって、前記延長式作業チャネルは、電気伝導性内側表面を有する、ことと、
アブレーションカテーテルの放射体が前記延長式作業チャネルの遠位端を越えて延びるように、前記アブレーションカテーテルを前記延長式作業チャネルを通して挿入することであって、前記アブレーションカテーテルは、外側導体を有する、ことと、
電気外科手術エネルギーが前記放射体から放射するように、エネルギーを前記アブレーションカテーテルに印加することと
を含み、
前記アブレーションカテーテルへのエネルギーの印加時、前記アブレーションカテーテルの外側導体に沿って伝導される任意のエネルギーは、前記延長式作業チャネルの前記電気伝導性内側表面内に捕捉され、前記延長式作業チャネルに隣接する組織に影響を及ぼすことを防止される、方法。
（項目１４）
前記アブレーションカテーテルを前記延長式作業チャネルを通して挿入することは、前記アブレーションカテーテルの機械的界面を前記延長式作業チャネル上に提供されているスロットに沿って画定された少なくとも１つの機械的界面と係合させ、前記アブレーションカテーテルの前記放射体を前記延長式作業チャネルの前記遠位端の遠位の位置に係止することをさらに含む、項目１３に記載の方法。
（項目１５）
前記延長式作業チャネルの前記電気伝導性内側表面は、編組構成を含む、項目１３に記載の方法。
（項目１６）
スロットが、前記延長式作業チャネルの近位端に提供され、前記スロットは、前記アブレーションカテーテル上に位置付けられている機械的界面に解放可能に結合するように構成されている、項目１４に記載の方法。
（項目１７）
印が、前記スロットに沿って提供されている、項目１４に記載の方法。
（項目１８）
前記印は、４分の１波長増分を表す、項目１７に記載の方法。
（項目１９）
前記アブレーションカテーテルの前記機械的界面を遠位に移動させ、前記アブレーションカテーテルを前記スロット内の少なくとも１つの他の位置の中に係止し、前記アブレーションカテーテルの内側導体と外側導体との間の信号平衡を調節することを含む、項目１８に記載の方法。
（項目２０）
マイクロ波アブレーションシステムであって、前記マイクロ波アブレーションシステムは、
マイクロ波エネルギー源と、
アブレーションカテーテルであって、前記アブレーションカテーテルは、
近位部分および遠位部分を有する同軸ケーブルであって、前記近位部分は、前記マイクロ波エネルギー源に動作可能に接続され、前記同軸ケーブルは、内側導体および外側導体を含む、同軸ケーブルと、
前記同軸ケーブルの遠位部分に配置されている放射体と
を含む、アブレーションカテーテルと、
前記放射体を標的組織に隣接して位置付けるために、前記アブレーションカテーテルを受け取るように構成されている延長式作業チャネルと
を備え、
前記延長式作業チャネルは、電気伝導性内側表面を含み、前記アブレーションカテーテルへのマイクロ波エネルギーの印加時、前記同軸ケーブルの前記外側導体に沿って伝導されるエネルギーは、前記延長式作業チャネルの前記伝導性内側表面内に捕捉され、前記延長式作業チャネルに隣接する組織に影響を及ぼすことを防止される、
マイクロ波アブレーションシステム。